(57)【特許請求の範囲】
【請求項１】
次々の要素で構成された装飾チェーンであって、上記要素（２；２’；２’’）のうちの少なくとも１つは中空ボディ（３；３’）を有しており、該中空ボディの内側には、上記装飾チェーンの隣接要素（２；２’；２’’）に接合されたリンク部材（３０；５０）を保持するようになっている挿入体（７；７’；７’’）が固定されており、上記挿入体（７；７’；７’’）が少なくとも１つのスリーブにより構成されている装飾チェーンにおいて、上記リンク部材（３０；５０）はシャンク（３２；５１）を有し、上記スリーブは上記リンク部材（３０；５０）のシャンク（３２；５１）を通すことができるのに十分に幅広いスロット（３３、３８；５８）を有していることを特徴とする装飾チェーン。
【請求項２】
上記中空ボディ（３；３’）は球状であることを特徴とする請求項１に記載の装飾チェーン。
【請求項３】
上記中空ボディ（３；３’）は旋削により形成されていることを特徴とする請求項１または２に記載の装飾チェーン。
【請求項４】
上記挿入体（７；７’’）は中空ボディ（３）を通っている孔（５）に固定されていることを特徴とする請求項１ないし３のうちのいずれか１つに記載の装飾チェーン。
【請求項５】
上記中空ボディ（３；３’）は宝石（４５）用の支持部片（４０；４０’）を受入れるために挿入体（７；７’；７’’）の軸線（Ｘ）と直角な軸線（Ｙ）の盲孔（６）を有していることを特徴とする請求項１ないし４のうちのいずれか１つに記載の装飾チェーン。
【請求項６】
上記支持部片（４０；４０’）は挿入体（７；７’；７’’）を跨がって係合されるようになっているフォーク（４１）を有していることを特徴とする請求項５に記載の装飾チェーン。
【請求項７】
挿入体（７；７’；７’’）は上記中空ボディ（３；３’）の内側に圧力嵌めとして保持されていることを特徴とする請求項１ないし６のうちのいずれか１つに記載の装飾チェーン。
【請求項８】
リンク部材（３０）は挿入体（７；７’）に保持される拡大ヘッド（３１）をその端部に有していることを特徴とする請求項１ないし７のうちのいずれか１つに記載の装飾チェーン。
【請求項９】
挿入体（７；７’）は、各々がその内側部分の幅狭い部分（２２、２６）を有する２つの長さ方向にスロット付きのスリーブ（８；９）により構成されていることを特徴とする請求項１ないし８のうちのいずれか１つに記載の装飾チェーン。
【請求項１０】
上記スリーブ（８；９）は互いに嵌合するようになっていることを特徴とする請求項９に記載の装飾チェーン。
【請求項１１】
挿入体（７；７’）およびリンク部材（３０）は、上記リンク部材が挿入体（７；７’）の軸線（Ｘ）のまわりを回転可能に挿入体（７；７’）に保持されるように設計されていることを特徴とする請求項１ないし１０のうちのいずれか１つに記載の装飾チェーン。
【請求項１２】
挿入体およびリンク部材は、上記リンク部材が挿入体の軸線（Ｘ）に沿って変位可能に挿入体に保持されるように設計されていることを特徴とする請求項１ないし１１のうちのいずれか１つに記載の装飾チェーン。
【請求項１３】
リンク部材は２つのヘッド（３１）を有するピン（３０）により構成されていることを特徴とする請求項１ないし１２のうちのいずれか１つに記載の装飾チェーン。
【請求項１４】
ピン（３０）の長さは２ｍｍ〜２０ｍｍの範囲にあることを特徴とする請求項１ないし１３のうちのいずれか１つに記載の装飾チェーン。
【請求項１５】
リンク部材は挿入体（７’’）の軸線（Ｘ）と直角な枢軸線（Ｚ）のまわりに回動可能に挿入体に設けられていることを特徴とする請求項１ないし７のうちのいずれか１つに記載の装飾チェーン。
【請求項１６】
リンク部材（５０）は、長い辺が枢軸線（Ｚ）と直角である矩形の横断面のシャンク（５１）を有しており、上記シャンクは夫々のペグ（５３）が通る２つの穴（５２）を備えていることを特徴とする請求項１５に記載の装飾チェーン。
【請求項１７】
各ペグ（５３）は、挿入体（７’’）に作られた穴（５４）に係合されていることを特徴とする請求項１６に記載の装飾チェーン。
【請求項１８】
挿入体（７’’）は単一のブロックであることを特徴とする請求項１５ないし１７のうちのいずれか１つに記載の装飾チェーン。
【請求項１９】
挿入体はその軸方向端部の各々に、中空ボディの外面と連続状態で位置決めされるようになっている表面、例えば、球状表面を有していることを特徴とする請求項１ないし１８のうちのいずれか１つに記載の装飾チェーン。
【発明の詳細な説明】
【０００１】
本発明は、各々が例えば一般に球状である形状を有する次々の要素で構成された装飾チェーンに関する。
【０００２】
各々が途中に首部を有する幅広い帯域を形成するように金属ワイヤの材料を一定間隔で打ち出し、各帯域をボールに形成された金属シートに取り囲み、次いでボールの内側で各幅広い帯域の首部のところでワイヤを破断することよりなる方法によってボールチェーンを製造することが知られている。
【０００３】
この方法は装飾チェーンを製造するのに特に良く適しているわけではない。何故なら、特に、かくして製造されたボールは宝石を設定するのに容易に適合しないからである。
【０００４】
各ビードが隣接ビードに接合されたリンク部材のヘッドを保持するようになっている縁部を持つ弾性変形可能な追加部片を有するビードネックレスがフランス特許第ＦＲ−１ ２３７ ０８４号から公知である。追加部片は長さ方向にスロット付きのスリーブの形態で設けられている。リンク部材のヘッドを適所に設置すると、スリーブは弾性変形することができる。このようなビードネックレスは全く満足するものではない。詳細には、追加部片は、リムが追加部片を弾性変形しないようにする傾向があるので、或る場合には製造困難であることがわかる。また、強い引張りがネックレスに不遇に及ぼされる場合にビードが外される恐れが或る。
【０００５】
本発明の目的は上記次々の要素のうちの少なくとも１つが中空ボディを有しており、中空ボディの内側には、隣接要素に接合されたリンク部材を保持するようになっている挿入体が固定され、この挿入体が少なくとも１つのスリーブにより構成されている装飾チェーンを提供することである。
【０００６】
特徴的には、スリーブはリンク部材のシャンクを通すことができるのに十分幅広いスロットを有している。
【０００７】
本発明の結果、チェーンの各要素は上記のようにリンク部材と直接係合されない。
【０００８】
リンク部材を保持するのに役立つのは中空ボディの内側に固定された挿入体である。
【０００９】
これにより中空ボディを製造するのに使用することができる材料の選択を拡大している。
【００１０】
また、本発明によれば、上記中空ボディの具体例の広い範囲が可能になる。
【００１１】
中空ボディは特定の支持部片を受け入れるように設計することができるので、要素への宝石の設定が容易になる。
【００１２】
特定の実施例では、中空ボディは球状であり、旋削により有利に製造され、それにより特に満足な表面外観を得ることができる。
【００１３】
更に特定の実施例では、挿入体は中空ボディを通っている孔に固定される。
【００１４】
挿入体は中空ボディの内側に圧力嵌めとして保持することができる。
【００１５】
挿入体は外側付近で弾性が実質的に無くてよい。
【００１６】
宝石を要素に取付けたい場合、中空ボディは好ましくは上記宝石用の支持部片を受け入れるために、軸線が挿入体の軸線と直角な盲孔を有している。
【００１７】
本発明の他の目的はリンク部材をチェーンの要素の中空ボディに保持するのに役立つ挿入体の保持を向上させるのに上記支持部片を使用することである。
【００１８】
特定の実施例では、支持部片は、挿入体を跨がって係合されるようになっており、外側部分の幅狭い部分を有利に呈するフォークを有している。かくして、支持部片は挿入体を要素の中空ボディに保持するのを助けることができる。
【００１９】
特定の実施例では、挿入体およびリンク部材は、リンク部材が挿入体の軸線のまわりに回転可能に挿入体に保持されるように設計されている。挿入体およびリンク部材は好ましくは、リンク部材が挿入体の軸線に沿って変位可能に挿入体に保持されるように設計されている。リンク部材は有利には、挿入体に保持される拡大ヘッドをその端部に有しており、挿入体はその内側部分の幅狭い部分を有している。挿入体は好ましくは、各々がその内側部分の幅狭い部分を有する２つの長さ方向にスロット付きのスリーブにより構成されている。これらのスリーブは有利には、互いにに嵌合するように設計されている。リンク部材は例えば２ｍｍ〜２０ｍｍの範囲にある長さを有する２つのヘッドの付いたピンにより構成することができる。
【００２０】
他の特定な実施例では、リンク部材は挿入体の軸線と直角な枢軸腺を中心に回動可能に挿入体に設けられている。リンク部材は有利には、長い辺が上記枢軸腺と直角のシャンクを有しており、上記シャンクには、その端部の各々に各ぺグが通る穴が設けられている。各ペグは好ましくはその端部を経て挿入体に形成された穴の係合され、上記挿入体はできるだけ単一のブロックである。
【００２１】
挿入体は有利には、その軸方向端部の各々に、中空ボディの外面と連続して位置決めされる表面、例えば、球状表面を有しており、これは外観の点で有利である。
【００２２】
本発明の他の特徴および輪転は本発明の非制限的実施例の下記の詳細な説明を読み、添付図面を吟味することで明らかになろう。
【００２３】
２つの同じ次々の要素２を図１に示す装飾チェイン１を例えばブレスレットまたはネックレスの製造に使用することができる。
【００２４】
各要素２は自動旋盤を作動することによって形成される球状外面を持つ中空の金属ボディ３を有している。
【００２５】
中空ボディ３はその直径と一致する軸線Ｘ上で貫通した孔５を有しており、また中空ボディ３は軸線Ｘと直角な軸線Ｙ上に孔５の直径より大きい直径であり、孔５に開口している盲孔６を有している。
【００２６】
各要素２は図３および図４に分離状態で示されている雌スリーブ８と雄スリーブ９との組立体により構成される挿入体７を収容している。
【００２７】
各スリーブ８、９は一方の軸方向端部にそれぞれ１０、１１で示す球状表面を有しており、これらの表面は、挿入体７が中空ボディ３に適所にあると、図１でわかるように、上記中空ボディの球状表面４と連続状態で位置決めされる。
【００２８】
雌スリーブ８は軸線Ｘのまわりに円形対称である外面を有しており、また雌スリーブ８には、肩部１２が設けられており、この肩部１２は中空ボディ３の孔５の直径に実質的に一致する直径を有する円筒形表面１３を端部１０に隣接して構成しており、且つ表面１３の直径より小さい直径を有する円筒形の表面を反対端部１４に隣接して構成している。
【００２９】
雄スリーブ９は肩部１７、１８を備えた円筒形外面を有しており、肩部１７、１８は雌スリーブ８の表面の直径と同じである直径を有する円筒形表面１９を間に構成している。
【００３０】
肩部１８は雌スリーブ８の表面１３の直径と同じ直径を有する円筒形表面２０を端部１１に隣接して構成している。
【００３１】
肩部１７は表面１９の直径より小さい直径を有する円筒形表面２１を反対端部１６に隣接して構成している。
【００３２】
雄スリーブ９の内側部分は、その長さの大部分にわたって延びていて、且つ端部１１の近傍の２６のところで幅狭くなっているおり領域２５において一定の直径を有している。
【００３３】
雌スリーブ８の内側部分は段になっており、端部１０の近傍の２２のところで幅狭くなっている。
【００３４】
端部１４のところの雌スリーブ８の開口部の内側部分は雄スリーブの表面２１の部分に対応しており、従ってスリーブ８、９は互いに嵌合して挿入体７を構成しており、肩部１４、１７は互いに当接する。
【００３５】
幅狭い部分２２と開口部２４との間の中間領域２３における雌スリーブ８の内側部分の直径は端部１６のところの雄スリーブ９の内側部分の直径に等しい。
【００３６】
幅狭い部分２２、２６の直径は等しい。
【００３７】
２つの次々の要素２は、上記実施例では、円筒形シャンク３２と、その端部の各々におけるよりおおきいい直径のヘッド３１とを有するピン３０の形態で設けられるリンク要素によって互いに接合されている。
【００３８】
ピン３０は、例えば、各々が途中に首部を有する幅広い帯域を構成するように金属ワイヤの材料を一定の間隔で局部的に打ち出し、次いでワイヤを上記首部のところで区分することによって金属ワイヤで製造することができる。
【００３９】
シャンク３２の直径は幅狭い部分２２、２６の直径より僅かに小さく、領域２３、２５の直径はヘッド３１の直径より僅かに大きい。
【００４０】
上記例では、スリーブ８、９は、図５および図７に示すように、ピン３０のヘッド３１を挿入することができるようにそれらの全長に沿って軸方向にスロットが形成されている。
【００４１】
雌スリーブ８の場合、ヘッド３１を端部１４を経て挿入し、かくしてシャンク３２の軸線は軸線Ｘと実質的に直角であり、次いで、ヘッド３１が幅狭い部分２２に当接するまでピン３０を上記軸線と平行に変位させる。
【００４２】
次いで、ピン３０を図５に鎖線で示す位置をとるように一回転の４分１だけ回動し、かくして、シャンク３２は実質的に軸線Ｘ上になる。
【００４３】
雌スリーブ８に作られたスロット３３の開口部の幅はピン３０のシャンク３２の直径より僅かに大きい。
【００４４】
また、シャンク３２の軸線が軸線Ｘと実質的に直角になるようにヘッド３１を端部１６を経て挿入し、ヘッド３１が幅狭い部分２６に当接するまでピン３０を上記軸線と平行に摺動させることによって、ピン３０を雄スリーブ９内に適所に設置する。
【００４５】
次いで、図７に鎖線で示すようにシャンク３２がスリーブ２の軸線Ｘ上になるようにピン３０を一回転の４分１だけ回動させる。
【００４６】
ピン３０のヘッド３１がスリーブ８、９内の適所になると、図６に示すようにスリーブを夫々の端部１４、１６を経て孔５に挿入し、これらのスリーブは図１０でわかるように互いに内側に相互に嵌合して挿入体７を構成する。
【００４７】
スリーブ８、９は好ましくは摩擦により組付けられたままであるように圧力嵌めとして互いに嵌合する。スリーブ８、９は有意な弾性を有することができない。
【００４８】
スリーブ８、９は雌スリーブ８の表面１３と雄スリーブ９の表面２０との間での圧力嵌めにより孔５内に保持される。
【００４９】
当然、スリーブ８、９が組付けされ、次いではんだ付けにより、或いは任意の他の在来の手段により中空ボディ３内に固定されることは本発明の範囲を越えない。
【００５０】
上記実施例では、図１１に分離状態で示される支持部片４０によって各要素２に宝石４５が設定される。
【００５１】
支持部片４０は、底部分で切断されて挿入体７を跨がって係合されるように設計されたフォーク４１を構成し、且つ頂部分でくり抜かれて円錐形ハウジング４２を構成している円筒体の形態で設けられている。
【００５２】
フォーク４１の開口部の幅は表面１３、２０の直径に一致している。
【００５３】
支持部片４０の直径は、支持部片４０が圧力嵌めとして盲孔６に保持されるように盲孔６の直径に一致している。
【００５４】
ハウジング４２の上には、設定操作中、宝石４５に押し付けられるようになっている薄い壁部４４が設けられている。
【００５５】
ハウジング４２の底部４３は穴があけられていて、宝石４５なしで支持部片４おを中空ボディ３に挿入すると、挿入体７にさら穴４６を形成することができ、上記さら穴は宝石４５の底端部を受け入れるようになっている。
【００５６】
フォーク４１は摩擦により挿入体７に係合され、それにより支持部片４０および挿入体７を中空ボディ３内に保持するための追加の力と、組付けられたスリーブ８、９用の補強との両方をもたらす。
【００５７】
図１３は端要素２’にピン３０を経て組付けられる上記のような要素２を示しており、端要素２’は、中空ボディ３１’および支持部片４０が僅かに太いこと、および孔５がすっかりは貫通していないが、盲であり、単一のブロック挿入体７’を受け入れることにより要素２とは異なっている。
【００５８】
より詳細には、挿入体７’はここでは、内側部分が幅狭い部分を有するスリーブにより構成されており、この挿入体は孔５に圧力嵌めされており、挿入体７’には、上記スリーブ８、９のようにピン３０のヘッド３１を取付けるためのスロットが長さ方向に形成されている。
【００５９】
図示のように、ピン３０は好ましくは挿入体７、７’の内側に或る隙間量をもって保持され、かくして、チェーンの次々の要素は軸線Ｘを中心に互いに対して回転することができ、且つ上記軸線Ｘに沿って並進で変位することができる。
【００６０】
かくして宝石の相対配向がが決して固定されないので、上記の運動性の結果、有利な美的効果を得ることができる。
【００６１】
本発明の範囲を越えることなしに、要素２または２’の中空ボディに固定された挿入体は始めに示した在来の方法により得られるボールチェーンに他端部で接合されるリンク部材の一端を保持するのに役立つことができる。
【００６２】
図１４ないし図２０における実施例では、チェーンの各要素２’’は図２に示す中空ボディと同じ中空ボディ３を有している。
【００６３】
この中空ボディは図１８に示す挿入体７’’と、図１１を参照して以上で説明した支持部片と同じ支持部片４０とを有している。
【００６４】
要素２’’は挿入体７’’の軸線Ｘと直角な枢軸線Ｚを中心に回動可能にリンク部材５０により互いに接合されている。
【００６５】
より詳細には、各リンク部材５０は長い辺が枢軸線Ｚと直角である矩形の横断面のシャンク５１を有しており、このシャンク５１には、ペグが係合される穴５２がその２つの端部の各々に設けられており、上記ペグの端部は挿入体７’’の穴５４に係合される。穴５４の軸線は軸線Ｘと直角に交差している。
【００６６】
挿入体７’’は、穴５４を除いて、外見上、図１０に示す挿入体７と同じ形状を呈している。挿入体７’’はこれにそって軸方向に通っているスロット５８を有しており、このスロット５８は、上記例では挿入体７’’の全長に沿って延びており、またその外側部分の幅狭い部分を有している。上記例では、スロット５８は長い辺が穴５４の軸線と直角である矩形の横断面を有している。スロット５８の深さは挿入体７’’の最も大きい外径の４分３に実質的に一致する。
【００６７】
リンク部材５０が係合されるのに十分長い距離にわたってだけ、挿入体７１’’の軸方向端部に長さ方向にスロットが設けられていることは本発明の範囲を越えない。
【００６８】
変形実施例（図示せず）では、挿入体には、その全長に沿ってはスロットが長さ方向に設けられていないが、その軸方向端部にだけスロットが長さ方向に設けられている。
【００６９】
この場合、挿入体はその軸方向端部の各々にスロットを有することができ、このスロットは垂直方向に通って挿入体の全高さにわたって延びている。
【００７０】
かくして、挿入体が係合されるボールに固定し得る宝石の形状は、挿入体にその全長に沿っては長さ方向にスロットが設けられていないことを考慮してのものである。
【００７１】
本説明で使用している語「スロット」に広い意味を与えることが必要であり、スロットは出来るだけ、２つの平行側部を必ずしも有するわけでなない横断面を有する。
【００７２】
変形実施例（図示せず）では、リンク部材の端部を設けることができるスロットは挿入体の側面に開口していないが、挿入体の端面にだけ開口しており、上記端面は中空ボディの外面に連続するように設計されている。
【００７３】
要素２’’を組付けるには、まず、２つのリンク部材５０の端部を、例えば、穴５２、５４を一致させるように挿入体７’’の軸線Ｘに沿って挿入することによって挿入体のスロット５８に挿入し、次いで、ペグ５３を上記穴に挿入する。リンク部材５０のうちの一方が既に要素２’’に組付けされ、他方のリンク部材が自由である仮定する。
【００７４】
次いで、挿入体７’’をボディ３の孔５に挿入し、次いで支持部片４０を適所に設置すると、フォーク４１は上記幅狭い部分５９に係合される。
【００７５】
図１４ないし図２０における実施例によれば、宝石を挿入体の軸線Ｘのまわりに所定の配向で保持することができる。
【００７６】
当然、チェーンを構成する次々の要素の性質および形状が変更されることは本発明の範囲を越えず、上記要素は宝石を受けなくてもよく、要素の中空ボディは例えばビードで構成されもよい。
【図面の簡単な説明】
【図１】２つの次々の要素を示す本発明の装飾チェーンの断面図である。
【図２】図１の要素のうちの一方の中空ボディを分離状態で示している。
【図３】図１の要素の中空ボディに固定された挿入体を構成する２つのスリーブを分離状態で示す断面図である。
【図４】図１の要素の中空ボディに固定された挿入体を構成する２つのスリーブを分離状態で示す断面図である。
【図５】スリーブのうちの一方における適所に設置された第１リンク部材を示している。
【図６】スリーブのうちの一方における適所に設置された第１リンク部材を示している。
【図７】他方のスリーブにおける適所に設置された第２リンク部材を示している。
【図８】他方のスリーブにおける適所に設置された第２リンク部材を示している。
【図９】要素の中空ボディの内側に組付けられた２つのスリーブを示している。
【図１０】要素の中空ボディの内側に組付けられた２つのスリーブを示している。
【図１１】宝石用の支持部片を分離状態で示している。
【図１２】中空ボディ内の適所にある支持部片を示している。
【図１３】チェーンの残部に組付けられた端要素を示している。
【図１４】本発明の第３実施例による要素の概略平面図である。
【図１５】図１４の鎖線ＸＶ−ＸＶ上の概略断面図である。
【図１６】図１４の矢印ＸＶＩ上の正面図である。
【図１７】図１６の矢印ＸＶＩＩ上の側面図である。
【図１８】図１４ないし図１７に示す要素の挿入体を分離状態で斜視図で示している。
【図１９】２つの互いに組付けられた要素を示す概略斜視図である。
【図２０】挿入体およびリンク部材を示すために要素の中空ボディを取り外した図１９と同様な図である。
【図１】
0003631678.tif 000002
【図２】
0003631678.tif 000003
【図３】
0003631678.tif 000004
【図４】
0003631678.tif 000005
【図５】
0003631678.tif 000006
【図６】
0003631678.tif 000007
【図７】
0003631678.tif 000008
【図８】
0003631678.tif 000009
【図９】
0003631678.tif 000010
【図１０】
0003631678.tif 000011
【図１１】
0003631678.tif 000012
【図１２】
0003631678.tif 000013
【図１３】
0003631678.tif 000014
【図１４】
0003631678.tif 000015
【図１５】
0003631678.tif 000016
【図１６】
0003631678.tif 000017
【図１７】
0003631678.tif 000018
【図１８】
0003631678.tif 000019
【図１９】
0003631678.tif 000020
【図２０】
0003631678.tif 000021